(57)【要約】【課題】商品の添付品を渡し忘れたり、商品の商品説明を行い忘れたりすることを確実に防止できる商品登録処理装置を提供すること。【解決手段】商品を計量して登録販売する計量器（商品登録処理装置）１である。商品と商品に関する商品関連情報（添付品や商品説明）とを関連付けて記憶する記憶手段と、記憶手段に記憶している商品を指定可能に表示する表示手段（表示操作面１９等）とを有する。表示手段によって表示される登録画面Ｇ１には、商品関連情報（添付品や商品説明）が関連付けられている商品を、商品関連情報がある旨を示す態様で表示する。即ち例えば、商品関連情報が関連付けられている商品の商品欄Ｇ１１には、添付品マークＧ１１１や商品説明マークＧ１１３を表示する。【選択図】図７
2018005814.tif 000002
【特許請求の範囲】
【請求項１】
商品を登録販売する商品登録処理装置であって、
前記商品と前記商品に関する商品関連情報とを関連付けて記憶する記憶手段と、
前記記憶手段に記憶している商品を指定可能に表示する表示手段と、を有し、
前記表示手段は、前記商品関連情報が関連付けられている商品を、前記商品関連情報がある旨を示す態様で表示する
ことを特徴とする商品登録処理装置。
【請求項２】
前記商品関連情報は、商品に添付する添付品情報または商品に関する説明情報であることを特徴とする請求項１に記載の商品登録処理装置。
【請求項３】
前記指定可能に表示された前記商品関連情報が関連付けられている商品には、商品名と共に前記商品関連情報がある旨の印を付すことを特徴とする請求項１に記載の商品登録処理装置。
【請求項４】
前記表示手段には、この表示手段に表示した前記印を押下した際に、押下した印に対応する商品関連情報を表示することを特徴とする請求項３に記載の商品登録処理装置。
【請求項５】
前記商品関連情報が関連付けられている商品を登録する場合に前記商品関連情報がある旨を確認する確認手段を更に有し、前記確認手段による確認を行わない場合、他の操作を禁止することを特徴とする請求項１に記載の商品登録処理装置。
【請求項６】
前記商品の登録が完了した際に登録した各商品を表示する表示手段を更に有し、
前記商品の登録が完了した際、前記表示手段には、前記商品関連情報が関連付けられている商品と前記商品関連情報が関連付けられていない商品とを識別可能に表示することを特徴とする請求項１から４記載の商品登録処理装置。
【発明の詳細な説明】
【技術分野】
【０００１】
本発明は、商品を登録販売する商品登録処理装置に関するものである。
【背景技術】
【０００２】
従来、例えば、商品登録処理装置の一種である計量器では、客が要望する商品を計量して販売する際に、その商品と共にその商品の添付品を併せて客に手渡す必要がある場合や、その商品の説明を必要とする場合がある。添付品としては、例えば、ドレッシングやソース、箸、スプーン、ストロー等がある。商品の説明としては、例えば、商品の原材料や、食べ方、温め方、セールスポイント等がある。
【先行技術文献】
【特許文献】
【０００３】
【特許文献１】特開２００５−３００３３６号公報
【発明の概要】
【発明が解決しようとする課題】
【０００４】
しかしながら、どの商品に添付品が必要であるか、またどの商品に商品説明が必要であるかの判別を行うことは困難であった。このため従来、これら添付品の渡し忘れや商品説明の行い忘れが頻繁に起こっていた。
【０００５】
本発明は上述の点に鑑みてなされたものでありその目的は、販売する商品について、その商品の添付品を渡し忘れたり、その商品の商品説明を行い忘れたりすることを確実に防止することができる商品登録処理装置を提供することにある。
【課題を解決するための手段】
【０００６】
本発明は、商品を登録販売する商品登録処理装置であって、前記商品と前記商品に関する商品関連情報とを関連付けて記憶する記憶手段と、前記記憶手段に記憶している商品を指定可能に表示する表示手段と、を有し、前記表示手段は、前記商品関連情報が関連付けられている商品を、前記商品関連情報がある旨を示す態様で表示することを特徴としている。
これによって、表示手段に表示している商品の内、商品関連情報がある商品を明確に示すことができる。
【０００７】
また本発明は、前記商品関連情報が、商品に添付する添付品情報または商品に関する説明情報であることを特徴としている。
これによって、表示手段に表示している商品の内の、どの商品に添付品または商品説明が必要であるかの判別を、容易に行うことができる。
【０００８】
また本発明は、前記指定可能に表示された前記商品関連情報が関連付けられている商品には、商品名と共に前記商品関連情報がある旨の印を付すことを特徴としている。
印を付すことによって、表示手段に表示している商品の内の、どの商品に商品関連情報があり、どの商品に商品関連情報が無いかの判別を、容易に行うことができる。
【０００９】
また本発明は、前記表示手段に、この表示手段に表示した前記印を押下した際に、押下した印に対応する商品関連情報を表示することを特徴としている。
これによって、容易に商品関連情報を表示手段に表示させることができる。
【００１０】
また本発明は、前記商品関連情報が関連付けられている商品を登録する場合に前記商品関連情報がある旨を確認する確認手段を更に有し、前記確認手段による確認を行わない場合、他の操作を禁止することを特徴としている。
これによって商品の登録の際に、商品関連情報があることを操作者に、より確実に認識させることができる。
【００１１】
また本発明は、前記商品の登録が完了した際に登録した各商品を表示する表示手段を更に有し、前記商品の登録が完了した際、前記表示手段には、前記商品関連情報が関連付けられている商品と前記商品関連情報が関連付けられていない商品とを識別可能に表示することを特徴としている。
これによって、登録した商品の内の、どの商品に商品関連情報があり、どの商品に商品関連情報が無いかの判別を、商品の登録完了時に、容易に行うことができる。
【発明の効果】
【００１２】
本発明によれば、販売する商品について、その商品の添付品を渡し忘れたり、その商品の商品説明を行い忘れたりすることを確実に防止することができる。
【図面の簡単な説明】
【００１３】
【図１】商品登録処理装置（以下「計量器」という）１の斜視図である。
【図２】計量器１の機能ブロック図の一例を示す図である。
【図３】商品ファイル５０の一例を示す図である。
【図４】添付品ファイル６０の一例を示す図である。
【図５】計量処理の一例を示す動作フロー図（その１）である。
【図６】計量処理の一例を示す動作フロー図（その２）である。
【図７】登録画面Ｇ１の一例を示す図である。
【図８】商品説明画面Ｇ２の一例を示す図である。
【図９】登録画面Ｇ１上に表示する添付品画面Ｇ３の一例を示す図である。
【図１０】小計画面（加算情報画面）Ｇ４の一例を示す図である。
【図１１】小計画面Ｇ４上に表示するポップアップ画面Ｇ５の一例を示す図である。
【図１２】フローティングシステム１００の一構成例を示す図である。
【発明を実施するための形態】
【００１４】
以下、本発明の実施形態を図面を参照して詳細に説明する。
図１は本発明の一実施形態にかかる計量器１の斜視図である。この計量器１は、客との対面販売に用いて好適な計量器であり、この計量器１を用いて店員が商品を計量・値付け・精算した後、客に商品を手渡す。
【００１５】
同図に示すように、計量器１は、本体部１１の上面に計量皿（載置部）１３を設置し、また本体部１１の前面側に表示及び操作部１５を設置して構成されている。本体部１１の外周側壁の所定位置（１角部）には、ラベル発行口１７が設けられている。表示及び操作部１５の表面には、表示操作面１９と、テンキー入力部２１とが設けられている。
【００１６】
図２は計量器１の機能ブロック図の一例を示す図である。同図に示すように、計量器１は、この計量器１の動作を制御するＣＰＵ（制御部）３１と、計量処理が終了後にＲＡＭ（記憶部）３７が記憶する情報を転送して記憶するハードディスク３３と、ＣＰＵ３１が実行するプログラムを記憶するＲＯＭ３５と、種々の情報を記憶するＲＡＭ３７と、計量器１を動作させる操作部３９と、計量結果に基づくデータを印刷したラベルを発行する発行部４１と、計量器１の操作方法や計量結果を表示する表示部（表示手段）４３と、他の機器と通信を行う通信部４５と、ロードセルを用いて量り売りする商品の計量を行う計量部４７と、を備えて構成されている。各構成要素は互いにバスを介して接続されている。なお前記図１に示す表示及び操作部１５の表示操作面１９は、液晶のタッチパネルで構成されており、表示部４３であると共に操作部３９である。また前記図１に示すテンキー入力部２１は、操作部３９である。
【００１７】
図３は、前記ＲＡＭ３７に記憶される商品ファイル５０の一例を示す図である。同図に示すように、商品ファイル５０は、各商品の商品コード（商品識別情報）、商品名、単価、添付品コード、商品情報などの各種情報からなっている。ここで「単価」とは、計量商品（重さによって価格の異なる商品、不定貫商品）の場合は、例えば、１００ｇ当りの単価を示し、非計量商品（１個の値段が決まっている商品、定貫商品）の場合は、１単位（１個、１パック等）の値段を示している。具体的には、「ローストビーフサラダ」は計量商品であって、３５７円／１００ｇであり、「△△アイスクリーム」は非計量商品であって、１個（１カップ）１８０円である。また、「添付品コード」は、その商品に添付品がある場合に記憶される。ここで「添付品」とは、客が購入しようとする商品に付属して客に渡す商品であり、例えば、商品「トマトのボックスサラダ」の場合は、添付品「和風ドレッシング」等である。１つの商品に複数の添付品がある場合には複数の添付品コードを紐付けておいても良い。「商品情報」とは、主として、その商品について商品説明が必要である場合の商品の内容に関する説明文である。具体的には、その商品の原材料、セールスポイント、食べ方、電子レンジ加熱時間等の情報である。商品ファイル５０には、図示はしていないが、さらに風袋の重量などを記憶してもよい。なお、図３に示す商品ファイル５０において、データが存在しない部分については、横線「−」を記載している。例えば、「ローストビーフサラダ」には、添付品と商品情報の何れも存在しない。「△△アイスクリーム」には、添付品があり、また商品情報はセールスポイントのみがある。
【００１８】
図４は、前記ＲＡＭ３７に記憶される添付品ファイル６０の一例を示す図である。同図に示すように、添付品ファイル６０は、添付品コード（添付品識別情報）、添付品名、単位、重量などの各種添付品情報からなっている。ここで「単位」とは、添付品１個（１単位）を添付する商品の重量又は数をいう。具体的に、「トマトのボックスサラダ」に添付する「和風ドレッシング」は、「トマトのボックスサラダ」１００ｇまでの場合は１個を添付し、１０１ｇ〜２００ｇの場合は２個添付する。また「△△アイスクリーム」に添付する「スプーン（小）」は、「△△アイスクリーム」１個（１カップ）の場合は１個を添付し、２個の場合は２個添付する。次に「重量」は、その添付品１つ当りの重量である。
【００１９】
図５，図６は、計量器１が実行する計量処理の一例を示す動作フロー図である。この図に示される処理は、ＣＰＵ３１がＲＯＭ３５に記憶されているプログラムを実行することにより実現される。まず予め、上記のように、商品にどのような添付品を付加するか否か、また商品にどのような商品説明を行うか否か等を商品ファイル５０に設定し、また添付品の添付単位や重量等を添付品ファイル６０に設定しておく。即ち、商品ファイル５０と添付品ファイル６０を記憶するＲＡＭ３７は、商品と商品に関する商品関連情報とを関連付けて記憶する記憶手段である。
【００２０】
そして、計量器１の表示操作面１９に、例えば図７に示すような登録画面Ｇ１を表示する（ステップＳＴ１）。図７は表示操作面１９に表示した登録画面Ｇ１の一例を示す図である。同図に示すように登録画面Ｇ１には、選択可能な複数の商品欄Ｇ１１、選択商品表示欄Ｇ１２、風袋重量表示欄Ｇ１３、品番表示欄Ｇ１４、商品重量表示欄Ｇ１５、内容量表示欄Ｇ１６、単価表示欄Ｇ１７、値段表示欄Ｇ１８、頁切換ボタンＧ１９、扱者欄Ｇ２１、登録ボタンＧ２２等が表示されている。商品欄Ｇ１１には、文字だけでなく、その商品の絵等を表示しても良い。
【００２１】
また、商品の内、前記商品ファイル５０と、添付品ファイル６０に記憶した商品関連情報がある商品については、その商品欄Ｇ１１内に、商品関連情報がある旨の表示（添付品マークＧ１１１と商品説明マークＧ１１３の表示）を行う。即ち、商品関連情報の内、添付品がある場合は添付品マークＧ１１１を表示し、商品説明がある場合は商品説明マークＧ１１３を表示し、両者がある場合は両者を表示する。このとき、商品関連情報がある商品欄Ｇ１１の背景の色彩と、商品関連情報がない商品欄Ｇ１１の背景の色彩とを異ならせたり（例えば青色と赤色の背景）、商品関連情報が有る商品欄Ｇ１１の外枠を赤枠や太枠で囲ったりすることが好ましい。言い換えれば、表示操作面１９には、商品関連情報が関連付けられている商品を、前記商品関連情報がある旨を示す態様で（商品関連情報が関連付けられていない商品と識別可能に）表示することが好ましい。
【００２２】
ここで、登録画面Ｇ１上の商品説明マークＧ１１３を押下すると（ステップＳＴ２）、図８に示すような商品説明画面Ｇ２が表示される（ステップＳＴ３）。この例では、商品「トマトのボックスサラダ」の商品説明マークＧ１１３を押下したときの商品説明画面Ｇ２が例示されており、商品名称欄Ｇ２３と、使用原材料欄Ｇ２５と、セールスポイント欄Ｇ２７と、スクロール操作欄Ｇ２９等が表示されている。この例では、使用原材料欄Ｇ２５とセールスポイント欄Ｇ２７が表示されているが、商品に応じて、食べ方欄、電子レンジ欄、ラップ有無欄等も表示される。使用原材料欄Ｇ２５にはその商品に使用されている原材料が表示される。その際、生野菜、ボイル野菜、ナッツ類、肉類等、原材料の種類に応じて分類した表示をすることが好ましい。セールスポイント欄Ｇ２７にはその商品のセールスポイントが表示される。その際、その商品のメインとなる価値、食卓での使用方法の提案、セールスポイントとなる素材の紹介等を分類して表示することが好ましい。食べ方欄には、その商品の食べ方の提案（例えば、「和風ドレッシングをかけてお召し上がりください」等）、電子レンジ欄には、その商品の加熱時間（例えば、「出力○○Ｗ、□分△秒」等）等、ラップ有無欄には、電子レンジにかける際のラップの必要性等、を表示する。そして商品説明画面Ｇ２やテンキー入力部２１に設置された図示しない戻るボタンを押下すると（ステップＳＴ４）、元の登録画面に戻る（ステップＳＴ５）。
【００２３】
前記戻るボタンを押下した後、または商品説明マークＧ１１３を押下しないで、添付品マークＧ１１１を押下すると（ステップＳＴ６）、図９に示すように、登録画面Ｇ１上に、添付品画面Ｇ３を、ポップアップ画面として表示する（ステップＳＴ７）。そして、添付品画面Ｇ３中の確認ボタンＧ３１を押下すると（ステップＳＴ８）、元の登録画面に戻る（ステップＳＴ９）。
【００２４】
上記戻るボタンを押下した後、または上記確認ボタンＧ３１を押下した後、または上記商品説明マークＧ１１３及び添付品マークＧ１１１を押下しないで、図７に示す登録画面Ｇ１の商品欄Ｇ１１を指で押下（タッチ）すれば、その商品が選択される（ステップＳＴ１０）。続いてその商品を計量皿１３に載置してその商品の計量を行う（ステップＳＴ１１）。例えばこの例では、図７に示す商品欄Ｇ１１の内の「ローストビーフサラダ」を押下して商品を選択した後、その商品「ローストビーフサラダ」を計量皿１３に載置してその商品の計量を行う。これによって図示はしないが、選択された商品「ローストビーフサラダ」が図７に示す選択商品表示欄Ｇ１２に表示され、また確定した計量値や値段等が、それぞれの欄に表示される。そして図７に示す登録ボタンＧ２２を押下することで、ステップＳＴ１２に移行してその商品の登録を行い、次に、新たな商品の登録のために、図７に示す登録画面Ｇ１と同様の登録画面Ｇ１を表示する（ステップＳＴ１３）。なお、上記のようにして商品を計量し確定する際、または確定した後に、その商品に添付品がある場合には、前記図９に示すと同様の添付品画面Ｇ３をポップアップ画面で表示し、添付品が必要である旨を表示し、これを確認（確認ボタンＧ３１の押下）しないと次の操作（例えば、計量の確定操作や新たな商品の呼び出しや下記する小計画面への移行等）を禁止するのが好適である。即ち、前記商品関連情報が関連付けられている商品を登録する場合に前記商品関連情報がある旨を確認する確認手段を更に有し、前記確認手段による確認を行わない場合、他の操作を禁止することが好適である。このとき、商品に添付品コードが複数ある場合には、添付品を複数表示させ、さらには添付品を選択可能に表示しても良い。
【００２５】
次に、上記ステップＳＴ１３で表示された登録画面Ｇ１において、引き続き次の商品を選択する場合は、登録画面Ｇ１に表示された何れかの商品欄Ｇ１１を押下することで、ステップＳＴ１４からステップＳＴ２に移行し、前記と同様の操作を行う。一方、ステップＳＴ１３における登録画面Ｇ１において、商品を指定していない状態で扱者欄（扱者ボタン、登録完了キー）Ｇ２１を押下すると、その押下が全ての商品の計量が終了したことの指示としているので、ステップＳＴ１４からステップＳＴ１５に移行し、図１０に示すような小計画面（加算情報画面）Ｇ４を表示する。
【００２６】
小計画面Ｇ４には、それまでに登録した商品に関する情報や小計額や買上点数などが表示される他に、添付品がある場合は、その商品について添付品がある旨の表示を行う。即ち、図１０の小計画面Ｇ４の場合は、商品「トマトのボックスサラダ」に添付品欄Ｆ（Ｆ１）を設けて添付品を表示し、また商品「サーモンと玉ねぎのマリネ」に添付品欄Ｆ（Ｆ２）を設けて添付品を表示する。その際、添付品がある商品の欄の背景の色彩と、添付品がない商品の欄の背景の色彩とを異ならせておく。枠を点滅させて目立たせる様にしても良い。そして添付品欄Ｆの部分を店員がタッチ（押下）すると、その商品欄の背景の色彩を、添付品がない商品の欄の背景の色彩と同一に変更する。具体的に、図１０の小計画面Ｇ４においては、商品「トマトのボックスサラダ」については既に添付品欄Ｆ１をタッチして、添付品があることを店員が確認しているので、添付品欄Ｆ１に「別添確認済み」の表示を追加した上で、その商品欄の背景の色彩を、添付品がない商品（例えば商品「ローストビーフサラダ」）の商品欄の背景の色彩（例えば青色）と同一に変更し、一方、商品「サーモンと玉ねぎのマリネ」については添付品欄Ｆ２をタッチしていないので、その商品欄の背景の色彩を、添付品がない商品の商品欄の背景の色彩と異ならせている（例えば赤色、図では色彩が異なることを斜線で示している）。この商品「サーモンと玉ねぎのマリネ」についても、添付品欄Ｆ２をタッチすれば、その商品欄の背景の色彩を、添付品がない商品の商品欄の背景の色彩と同一とし、且つ添付品欄Ｆ２に「別添確認済み」の表示を追加する。以上のように、添付品欄Ｆを店員がタッチすることで、添付品が必要であることを、より確実に店員に認識させることができる。１つの商品に添付品が複数ある場合には、添付品欄Ｆに複数の添付品を表示しても良い。その際、各添付品を選択可能に表示しても良い。また上記添付品欄Ｆまたはその近傍に、添付品の写真や画像を同時に表示させても良い。また例えば、小計画面Ｇ４中に、ポップアップ画面等によって、「別添商品が○○点あります」のような表示を行っても良い。また上記表示内に、どの商品、どの添付品がもれているかを表示する様にしても良い。または、小計画面に入った時点で、登録済み商品に添付品があれば全ての添付品リストを表示させて店員に確認させる様にしても良い。さらに、小計画面Ｇ４において、商品説明がある商品には、図７の登録画面Ｇ１に示す商品説明マークＧ１１３と同等の説明ボタンを添付品欄またはその近傍に表示させ、これが押下されることで、図８に示す商品説明画面Ｇ２が表示されるように構成しても良い。
【００２７】
上記添付品の確認作業が完了した後に、図示しない現計キーが押下されることで精算を行う旨の指示が入力されると（ステップＳＴ１６）、ＣＰＵ３１は、前記小計画面Ｇ４において全ての添付品の確認作業（全ての添付品欄Ｆ１，Ｆ２にタッチすること）が完了しているか否かを判断する（ステップＳＴ１７）。そして、全ての添付品の確認作業が完了している場合は、ステップＳＴ１８に移行して、前記小計額を用いて精算処理を行い、一連の計量処理を終了する。精算終了後にはレシートが発行されるが、客が商品を持ち帰った場合に、添付品がどの商品に添付されていたのかが分からなくなる場合があるため、精算後のレシートの商品名に対応して添付品名を印字して発行するように構成しても良い。これにより添付品がどの商品に対応しているのかが分からなくなることがなくなる効果がある。また一般に、計量器１は、商品に貼付するラベルを発行するが、このラベルに添付品名（添付品情報）を印字しても良い。このように構成した場合も、添付品がどの商品に対応しているのかを容易に判断することが可能になる。
【００２８】
一方、ステップＳＴ１７において、全ての添付品の確認作業が完了していないと判断した場合は、ステップＳＴ１９に移行し、添付品を確認する旨を表示する。具体的には、例えば図１１に示す小計画面Ｇ４のように、ポップアップ画面Ｇ５を表示して、「別添確認未完了の商品があります」のようなコメントを表示する。そして、ポップアップ画面Ｇ５中の確認ボタンＧ５１を押下すれば、図１０に示すような小計画面Ｇ４に戻り、添付品の確認作業を促す。なお、ステップＳＴ１９を省略し、ステップＳＴ１７からステップＳＴ１５に直接戻るように構成しても良い。即ち、ステップＳＴ１５〜ＳＴ１７，ＳＴ１９においては、商品関連情報が関連付けられている商品を精算する場合に前記商品関連情報がある旨を確認する確認手段を更に有し、前記確認手段による確認を行わない場合、他の操作を禁止することとしている。
【００２９】
ところで、上記例では、商品を選択した後に商品の計量を行っているが、この順番を逆にし、商品の計量を行った後に、計量した商品を選択しても良い。また上記例では、計量商品について説明したが、定貫商品についても同様に適用できる。この場合は、図５に示す動作フロー中の、ステップＳＴ１１を省略しても良いし、ステップＳＴ１１で商品の計量を行った上で（但し計量値は金額の算出には利用しない）、ステップＳＴ１２以下の動作を行っても良い。
【００３０】
図１２は、前記計量器１（１−１，１−２，１−３）を複数台接続して構成されるフローティングシステム１００の一構成例を示す図である。同図に示すように、フローティングシステム１００は、複数台（この例では３台）の計量器１−１，１−２，１−３を、相互に通信線１０１（又は無線）によって接続して構成されている。そして、各計量器１−１，１−２，１−３は、登録された商品データを、各ＲＡＭ３７に共有しており、何れの計量器１−１，１−２，１−３からでも計量、登録、精算といった操作を一連の流れで行うことができる。
【００３１】
具体的に説明すると、例えば計量器１−１はサラダコーナーＣ１に設置され、計量器１−２はフライコーナーＣ２に設置され、計量器１−３はデリコーナーＣ３に設置されているとする。そしてまず客がサラダコーナーＣ１でシーフードサラダを選択し、店員がこれを計量器１−１を用いて計量し、商品関連情報がある場合はこれを表示し、その後登録する。このときの操作は、前記図５，図６のステップＳＴ１〜ＳＴ１４まで行われるが、ステップＳＴ１２において行われた登録の情報は、全ての計量器１−１，１−２，１−３において共有されるようにする。次に、客がフライコーナーＣ２でコロッケを選択し、店員がこれを計量器１−２を用いて計量し、商品関連情報がある場合はこれを表示し、その後登録すると、その登録の情報は、前記と同様、全ての計量器１−１，１−２，１−３において共有される（ステップＳＴ２〜ＳＴ１４）。次に、客がデリコーナーＣ３でロールキャベツを選択し、店員がこれを計量器１−３を用いて計量し、商品関連情報がある場合はこれを表示し、その後登録すると、その登録の情報は、前記と同様、全ての計量器１−１，１−２，１−３において共有される（ステップＳＴ２〜ＳＴ１４）。そしてこれによって客の注文が終了すると、計量器１−３の登録画面Ｇ１において、商品を指定していない状態で扱者欄Ｇ２１を店員が押下し、その押下が全ての商品の計量が終了したことの指示となって、ステップＳＴ１４からステップＳＴ１５に移行し、図１０に示すような小計画面（加算情報画面）Ｇ４を表示する。そしてこの小計額を用いて精算処理を行うことで（ステップＳＴ１８）、一連の処理が完了する。なお、前記精算処理は、他の計量器１−１，１−２を用いて行うこともできる。なお、例えば客がシーフードサラダだけを購入する場合は、計量器１−１を用いて計量し、商品関連情報がある場合はこれを表示し、登録した後、その計量器１−１（他の計量器１−２，１−３でも良いが）を用いて精算処理を行えば良い。
【００３２】
以上説明したように、計量器１は、商品を登録販売する商品登録処理装置であって、前記商品と前記商品に関する商品関連情報（添付品の有無・内容等の添付品情報や、商品に関する説明情報の有無・内容等）とを関連付けて記憶する記憶手段（設定内容である商品ファイル５０や添付品ファイル６０を記憶するＲＡＭ３７と、これらの記憶を指示するＣＰＵ３１等）と、前記記憶手段に記憶している商品を指定可能に表示する表示手段（表示部４３や、この表示部４３に表示する表示内容を指示するＣＰＵ３１等）と、を有し、前記表示手段は、前記商品関連情報が関連付けられている商品を、前記商品関連情報がある旨を示す態様で表示する構成となっている。このように構成することで、どの商品に商品関連情報があり、どの商品に商品関連情報が無いかの判別を、容易に行うことができるようになる。
【００３３】
また上記計量器１のように、指定可能に表示された商品関連情報が関連付けられている商品には、商品名と共に前記商品関連情報がある旨の印（添付品マークＧ１１１、商品説明マークＧ１１３）を付すことが好ましい。印を付すことによって、どの商品に商品関連情報があり、どの商品に商品関連情報が無いかの判別を、容易に行うことができるようになる。印は文字を含まないマークのみで構成しても良い。印の種類（形状や色彩等）を、添付品や商品説明の種類に応じて、異なるように構成しても良い。さらに表示手段に表示した前記印を押下した際に、押下した印に対応する商品関連情報（商品説明画面Ｇ２、添付品画面Ｇ３）を表示することが好ましい。これによって、容易に商品関連情報を表示手段に表示させることができる。前記印は、表示手段に表示された商品名の欄の中やその周辺、または表示手段に表示された店員の名前キーの欄（扱者欄Ｇ２１）の中やその周辺等に表示するのが好ましい。また、商品関連情報が関連付けられている商品を登録する場合に前記商品関連情報がある旨を確認する確認手段を更に有し、前記確認手段による確認を行わない場合、他の操作を禁止することが好ましい。即ち、前記印の確認（押下して商品関連情報を表示すること等）を行わないと、先の操作に進めないように構成すれば、商品関連情報があることを操作者により確実に認識させることができる。さらに、印を押下することで商品関連情報を表示させる代りに、例えば、図７に示すような登録画面Ｇ１に、別途、図示しない商品説明や添付品のファンクションキーを設け、このファンクションキーを押下した後に、商品欄Ｇ１１を押下することで、押下した商品の商品説明画面や添付品画面を表示するように構成しても良い。逆に、商品欄Ｇ１１を押下した後に、上記ファンクションキーを押下することで、商品説明画面や添付品画面を表示するように構成しても良い。また、例えば、商品関連情報にお勧めの食べ方等を記憶させておき、前記表示手段にその他の商品関連情報と同時に表示させる。そして項目を押下することで選択された項目を印字するようにしても良い。これにより顧客によりお勧めの食べ方を会計時に突然要望された場合であっても即座に対応することが可能となる。
【００３４】
上記実施形態では、図７の登録画面Ｇ１に示すように、複数の商品欄Ｇ１１を表示し、何れかの商品欄Ｇ１１を押下することで商品を選択するように構成しているが、その代りに、前記商品欄Ｇ１１を表示せず、例えば対面販売を行うために陳列している商品の近くに設置してある価格をデジタル表示する表示器に、例えば指で触れて振動を与えることで、その表示器と無線を通じて通信可能に構成した計量器にその商品が選択されたことを報知し、これによって計量器にその商品が選択されたことを入力すると同時に計量器の表示部に選択された商品のみを表示させるように構成しても良い。表示された商品に商品関連情報がある場合は、上記と同様、表示した商品近傍等に添付品マークや商品説明マークを表示する。
【００３５】
また上記実施形態では、図１１に示すポップアップ画面Ｇ５中の確認ボタンＧ５１を押下することで、図１０に示す小計画面Ｇ４に戻り、添付品の確認作業を促す構成としたが、その代りに、ポップアップ画面Ｇ５中に、確認作業が必要な添付品の名称（例えば「ごまドレッシング」の文言）を表示し、この添付品の名称部分を前記図１０に示す添付品欄Ｆと同様の欄とし、この添付品を表示した欄を押下することで、確認が完了したとし、次のステップ（精算処理）に直接進むように構成しても良い（図１０に示す小計画面Ｇ４に戻らない）。
【００３６】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの構成であっても、本願発明の作用・効果を奏する以上、本願発明の技術的思想の範囲内である。例えば、上記実施形態では、商品登録処理装置として計量器を用いた例を説明したが、本発明は上記実施形態に示す構造の計量器に限らず、例えば、計量部付きＰＯＳ端末や、計量を行わない構造のＰＯＳ端末等でもよく、要は、商品を登録販売する商品登録処理装置であればどのような商品登録処理装置であっても良い。また上記実施形態では、商品に添付品や商品説明があることを各所で表示しているが、この表示と共に音声を出力してもよい。また上記実施形態では、計量器のＲＡＭに商品ファイルや添付品ファイルやその他の各種情報を記憶させているが、設定や記憶する情報（データ）は、計量器等の端末の上位装置で持っていて、端末では表示させるのみとするように構成しても良いし、設定は上位装置で行って、情報は端末で記憶するように構成しても良い。
【００３７】
また、上記記載及び各図で示した実施形態は、その目的及び構成等に矛盾がない限り、互いの記載内容を組み合わせることが可能である。また、上記記載及び各図の記載内容は、その一部であっても、それぞれ独立した実施形態になり得るものであり、本発明の実施形態は上記記載及び各図を組み合わせた一つの実施形態に限定されるものではない。
【符号の説明】
【００３８】
１  計量器                              １１  本体部
１３  計量皿（載置部）                  １５  表示及び操作部
１７  ラベル発行口                      １９  表示操作面（表示手段）
２１  テンキー入力部                    ３１  ＣＰＵ（制御部）
３３  ハードディスク                    ３５  ＲＯＭ
３７  ＲＡＭ（記憶手段）                  ３９  操作部
４１  発行部                            ４３  表示部（表示手段）
４５  通信部                            ４７  計量部
５０  商品ファイル                      ６０  添付品ファイル
Ｇ１  登録画面                          Ｇ１１  商品欄
Ｇ１１１  添付品マーク（印）            Ｇ１１３  商品説明マーク（印）
Ｇ１２  選択商品表示欄                  Ｇ１３  風袋重量表示欄
Ｇ１４  品番表示欄                      Ｇ１５  商品重量表示欄
Ｇ１６  内容量表示欄                    Ｇ１７  単価表示欄
Ｇ１８  値段表示欄                      Ｇ１９  頁切換ボタン
Ｇ２１  扱者欄（扱者ボタン、登録完了キー）
Ｇ２  商品説明画面                      Ｇ２２  登録ボタン
Ｇ２３  商品名称欄                      Ｇ２５  使用原材料欄
Ｇ２７  セールスポイント欄              Ｇ２９  スクロール操作欄
Ｇ３  添付品画面                        Ｇ３１  確認ボタン
Ｇ４  小計画面（加算情報画面）          Ｆ（Ｆ１，Ｆ２）  添付品欄
Ｇ５  ポップアップ画面                  Ｇ５１  確認ボタン
１−１，１−２，１−３  計量器          １００  フローティングシステム
１０１  通信線                          Ｃ１  サラダコーナー
Ｃ２  フライコーナー                    Ｃ３  デリコーナー
【図１】
2018005814.tif 000003
【図２】
2018005814.tif 000004
【図３】
2018005814.tif 000005
【図４】
2018005814.tif 000006
【図５】
2018005814.tif 000007
【図６】
2018005814.tif 000008
【図７】
2018005814.tif 000009
【図８】
2018005814.tif 000010
【図９】
2018005814.tif 000011
【図１０】
2018005814.tif 000012
【図１１】
2018005814.tif 000013
【図１２】
2018005814.tif 000014